(57)【特許請求の範囲】
【請求項１】
局側装置（ＯＳＵ）と、光源をもたない複数のユーザ装置（ＯＮＵ）との間を波長ルータおよび光ファイバ伝送路を介して接続し、局側装置は各ユーザ装置へ伝送する下り信号として各ユーザ装置に割り当てた波長の変調光を無変調光とともに送信し、各ユーザ装置はそれぞれ割り当てられた波長の変調光を受信し、無変調光を変調して上り信号として折り返し送信する波長多重双方向光伝送方法において、
前記下り信号の変調光として各ユーザ装置に割り当てた複数の波長を包含する波長帯と、前記上り信号用の無変調光の波長帯は、前記波長ルータのルーティング周期単位に互いに異なる波長帯に設定され、
前記局側装置は、前記上り信号用の無変調光の波長帯で平坦かつ連続スペクトルを有する広帯域パルス光を周期的に送信し、
前記波長ルータは、前記局側装置から送信された変調光および無変調光（広帯域パルス光）を入力し、前記各ユーザ装置に割り当てた波長の変調光を分波し、さらに前記無変調光（広帯域パルス光）から前記各ユーザ装置に割り当てた波長の無変調光（単一波長パルス光）を切り出し、前記各ユーザ装置に対応するポートからそれぞれ前記ルーティング周期に対応する波長の変調光および無変調光（単一波長パルス光）を各ユーザ装置に送信し、
前記各ユーザ装置は、周期的に入力される前記無変調光（単一波長パルス光）を入力し、前記各ユーザ装置から送信された上り信号が前記局側装置に互いに異なるタイミングで受信されるタイミングの無変調光（単一波長パルス光）をそれぞれ選択して変調し、他の無変調光（単一波長パルス光）を終端する
ことを特徴とする波長多重双方向光伝送方法。
【請求項２】
局側装置（ＯＳＵ）と、光源をもたない複数のユーザ装置（ＯＮＵ）との間を波長ルータおよび光ファイバ伝送路を介して接続し、局側装置は各ユーザ装置へ伝送する下り信号として各ユーザ装置に割り当てた波長の変調光を無変調光とともに送信し、各ユーザ装置はそれぞれ割り当てられた波長の変調光を受信し、無変調光を変調して上り信号として折り返し送信する波長多重双方向光伝送方法において、
前記下り信号の変調光として各ユーザ装置に割り当てた複数の波長を包含する波長帯と、前記上り信号用の無変調光の波長帯は、前記波長ルータでルーティングする範囲の同一の波長帯に設定され、
前記局側装置は、前記下り信号の変調光と異なるタイムスロットで、前記上り信号用の無変調光の波長帯で平坦かつ連続スペクトルを有する広帯域パルス光を周期的に送信し、
前記波長ルータは、前記局側装置から送信された変調光および無変調光（広帯域パルス光）を入力し、前記各ユーザ装置に割り当てた波長の変調光を分波し、さらに前記無変調光（広帯域パルス光）から前記各ユーザ装置に割り当てた波長の無変調光（単一波長パルス光）を切り出し、前記各ユーザ装置に対応するポートからそれぞれ同一波長の変調光および無変調光（単一波長パルス光）を各ユーザ装置に送信し、
前記各ユーザ装置は、前記変調光と異なるタイムスロットで周期的に入力される前記無変調光（単一波長パルス光）を入力し、前記各ユーザ装置から送信された上り信号が前記局側装置に互いに異なるタイミングで受信されるタイミングの無変調光（単一波長パルス光）をそれぞれ選択して変調し、他の無変調光（単一波長パルス光）を終端する
ことを特徴とする波長多重双方向光伝送方法。
【請求項３】
請求項１または請求項２に記載の波長多重双方向光伝送方法において、
前記ユーザ装置が選択する送信タイミングは、前記局側装置から各ユーザ装置に通知されることを特徴とする波長多重双方向光伝送方法。
【請求項４】
局側装置（ＯＳＵ）と、光源をもたない複数のユーザ装置（ＯＮＵ）との間を波長ルータおよび光ファイバ伝送路を介して接続し、局側装置は各ユーザ装置へ伝送する下り信号として各ユーザ装置に割り当てた波長の変調光を無変調光とともに送信し、各ユーザ装置はそれぞれ割り当てられた波長の変調光を受信し、無変調光を変調して上り信号として折り返し送信する波長多重双方向光伝送装置において、
前記下り信号の変調光として各ユーザ装置に割り当てた複数の波長を包含する波長帯と、前記上り信号用の無変調光の波長帯は、前記波長ルータのルーティング周期単位に互いに異なる波長帯に設定され、
前記局側装置は、前記各ユーザ装置に割り当てた波長の変調光を送信する多波長光源と、前記上り信号用の無変調光の波長帯で平坦かつ連続スペクトルを有する広帯域パルス光を周期的に送信する広帯域パルス光源とを含み、
前記波長ルータは、前記局側装置から送信された変調光および無変調光（広帯域パルス光）を入力し、前記各ユーザ装置に割り当てた波長の変調光を分波し、さらに前記無変調光（広帯域パルス光）から前記各ユーザ装置に割り当てた波長の無変調光（単一波長パルス光）を切り出し、前記各ユーザ装置に対応するポートからそれぞれ前記ルーティング周期に対応する波長の変調光および無変調光（単一波長パルス光）を各ユーザ装置に送信する構成であり、
前記各ユーザ装置は、それぞれ割り当てられた波長の変調光および無変調光（単一波長パルス光）を分波または分岐する分波器と、前記変調光を受信する光受信器と、前記分波器を介して周期的に入力される無変調光（単一波長パルス光）を入力し、前記各ユーザ装置から送信された上り信号が前記局側装置に互いに異なるタイミングで受信されるタイミングの無変調光（単一波長パルス光）をそれぞれ選択して変調し、他の無変調光（単一波長パルス光）を終端する光変調器とを含む
ことを特徴とする波長多重双方向光伝送装置。
【請求項５】
局側装置（ＯＳＵ）と、光源をもたない複数のユーザ装置（ＯＮＵ）との間を波長ルータおよび光ファイバ伝送路を介して接続し、局側装置は各ユーザ装置へ伝送する下り信号として各ユーザ装置に割り当てた波長の変調光を無変調光とともに送信し、各ユーザ装置はそれぞれ割り当てられた波長の変調光を受信し、無変調光を変調して上り信号として折り返し送信する波長多重双方向光伝送装置において、
前記下り信号の変調光として各ユーザ装置に割り当てた複数の波長を包含する波長帯と、前記上り信号用の無変調光の波長帯は、前記波長ルータでルーティングする範囲の同一の波長帯に設定され、
前記局側装置は、前記各ユーザ装置に割り当てた波長の変調光を送信する多波長光源と、前記下り信号の変調光と異なるタイムスロットで、前記上り信号用の無変調光の波長帯で平坦かつ連続スペクトルを有する広帯域パルス光を周期的に送信する広帯域パルス光源とを含み、
前記波長ルータは、前記局側装置から送信された変調光および無変調光（広帯域パルス光）を入力し、前記各ユーザ装置に割り当てた波長の変調光を分波し、さらに前記無変調光（広帯域パルス光）から前記各ユーザ装置に割り当てた波長の無変調光（単一波長パルス光）を切り出し、前記各ユーザ装置に対応するポートからそれぞれ同一波長の変調光および無変調光（単一波長パルス光）を各ユーザ装置に送信する構成であり、
前記各ユーザ装置は、それぞれ割り当てられた波長の変調光および無変調光（単一波長パルス光）を分波または分岐する分波器と、前記変調光を受信する光受信器と、前記分波器を介して前記変調光と異なるタイムスロットで周期的に入力される無変調光（単一波長パルス光）を入力し、前記各ユーザ装置から送信された上り信号が前記局側装置に互いに異なるタイミングで受信されるタイミングの無変調光（単一波長パルス光）をそれぞれ選択して変調し、他の無変調光（単一波長パルス光）を終端する光変調器とを含む
ことを特徴とする波長多重双方向光伝送装置。
【請求項６】
請求項４または請求項５に記載の波長多重双方向光伝送装置において、
前記広帯域パルス光源は、スーパーコンティニュウム（ＳＣ）光源であることを特徴とする波長多重双方向光伝送装置。
【発明の詳細な説明】
【０００１】
【発明の属する技術分野】
本発明は、局側装置（ＯＳＵ）と光源をもたないユーザ装置（ＯＮＵ）との間で光信号を双方向伝送する波長多重双方向光伝送方法および装置に関する。
【０００２】
【従来の技術】
図９は、従来の双方向光伝送システムの構成例を示す（特開平６−３５０５６６号公報）。ここで、λ１  ，λ２  ，…，λｎ  は、単一の波長帯λに属する波長であり、各波長がｎ個のユーザ装置にそれぞれ割り当てられる。
【０００３】
局側装置（ＯＳＵ）５０の送信部５１は、波長λ１  ，λ２  ，…，λｎ  の光信号を時間的に切り換えて送信する。この光信号は、光ファイバ伝送路６１を介して波長ルータ６０に伝送され、波長ルーティングにより波長対応のポートに分波され、それぞれ対応する光ファイバ伝送路６２を介してユーザ装置（ＯＮＵ）７０−１〜７０−ｎに伝送される。
【０００４】
例えば、波長ルータ６０の出力ポート♯１には波長λ１  の光信号が分波され、光ファイバ伝送路６２を介してＯＮＵ７０−１に伝送される。ＯＮＵ７０−１に入力された光信号は光カプラ７１で２分岐され、その一方（下り信号）が光受信器７２に受信され、他方が上り信号として光変調器７３で変調され、光ファイバ伝送路６３、波長ルータ６０、光ファイバ伝送路６４を介してＯＳＵ５０の受信部５２まで伝送される。他のＯＮＵとの光信号の送受信についても同様である。ＯＳＵ５０の受信部５２は、各ＯＮＵ７０−１〜７０−ｎで変調して折り返された波長λ１  ，λ２  ，…，λｎ  の光信号（上り信号）を時間的に切り換えて受信する。
【０００５】
本システムは、ＯＮＵに光源をもたない構成であり、ＯＮＵから上り信号として送信するための光をＯＳＵから供給してやる必要がある。その方法として、ＯＳＵは、図１０（ａ）  に示すように下り信号と異なるタイムスロットで、各ＯＮＵに割り当てた波長の無変調光（直流光）を送信し、各ＯＮＵがその無変調光を変調して上り信号として折り返すか、図１０（ｂ）  に示すように各ＯＮＵが下り信号から搬送波成分を抽出し、変調して上り信号として折り返す構成がとられる。
【０００６】
【発明が解決しようとする課題】
従来の双方向光伝送システムは、各ＯＮＵごとに下り信号と上り信号に同一波長を割り当てているので、ＯＳＵから各ＯＮＵに上り信号用の無変調光を専用のタイムスロットで送信するために伝送効率が低下したり、ＯＮＵにおいて下り信号から信号成分と上り信号用の搬送波成分を分離抽出するための構成が複雑になる問題点があった。
【０００７】
また、各ＯＮＵ７０−１〜７０−ｎから折り返された波長λ１  〜λｎ  の変調光（上り信号）は波長ルータ６０で合波され、光ファイバ伝送路６４上に波長多重される。しかし、波長ルータ６０と各ＯＮＵ７０−１〜７０−ｎとの間の伝送距離（光ファイバ伝送路６２，６３の長さ）が異なる場合には、光ファイバ伝送路６４上で各ＯＮＵからの上り信号の時間位置が入れ替わったり重なることがある。
【０００８】
例えば、図１１に示すように、ＯＳＵ５０からみてＯＮＵ７０−１よりＯＮＵ７０−２が遠い場合を想定する。ＯＮＵ７０−１，７０−２宛てにそれぞれ送信された波長λ１  ，λ２  の下り信号（無変調光）は、各ＯＮＵで変調して折り返され、上り信号としてＯＳＵ５０に到達する。ここで、下り信号が図１１（ａ）  のようなタイミングでＯＳＵ５０から送信された場合には、上り信号はＯＳＵ５０の到達時点で重なり、受信部５２で受信できなくなる。
【０００９】
これを回避するには、各ＯＮＵまでの伝送距離を考慮し、図１１（ｂ）  に示すように下り信号の送信間隔を空けて送信タイミングをずらすか、図１１（ｃ）  に示すように下り信号の送信順番を入れ替える必要がある。しかも、このような送信タイミング制御は、ＯＳＵ５０の送信部５１で行う必要があり、ＯＮＵの数に応じて飛躍的に複雑になる問題点があった。
【００１０】
また、ＯＳＵ５０の送信部５１は、上り信号用の無変調光を送信する場合に上記の送信タイミング制御の他に、波長を時間的に切り換える必要があるので、波長安定化および高速切り換えのための制御装置が必要であった。
【００１１】
本発明は、局側装置（ＯＳＵ）と光源をもたないユーザ装置（ＯＮＵ）との間において、簡単な構成でユーザ装置が自律的に送信タイミングを制御し、光信号を双方向伝送する波長多重双方向光伝送方法および装置を提供することを目的とする。
【００１２】
【課題を解決するための手段】
本発明の波長多重双方向光伝送方法および装置は、ＯＳＵから各ＯＮＵに供給する上り信号用の無変調光として、各ＯＮＵに割り当てた波長を含み、平坦で連続スペクトルを有する広帯域パルス光を例えばビットレート周期で周期的に送信する。この広帯域パルス光は、波長ルータに入力されると、各ＯＮＵに割り当てられた波長の単一波長パルス光として切り出され、それぞれ対応するポートから各ＯＮＵに伝送される。しかも、各単一波長パルス光は周期的に各ＯＮＵに入力されるので、各ＯＮＵでは適当なタイミングの単一波長パルス光を選択し、変調して上り信号として折り返す。これにより、光源をもたないＯＮＵ側で上り信号の送信タイミングを制御することができる。
【００１３】
【発明の実施の形態】
（第１の実施形態）
図１は、本発明の第１の実施形態を示す。ここでは、局側装置（ＯＳＵ）から各ユーザ装置（ＯＮＵ）への伝送方向を下り、逆の伝送方向を上りとする。
【００１４】
本実施形態では、ＯＳＵから各ＯＮＵに伝送する変調光に波長帯λ’  を割り当て、上り信号用として伝送する無変調光に波長帯λ（≠λ’  ）を割り当て、さらに波長帯λ’  の波長λ’１〜λ’ｎ、および波長帯λの波長λ１  〜λｎ  をそれぞれ各ＯＮＵに割り当てる。また、上り信号用としてＯＳＵから送信する波長帯λの無変調光は、波長λ１  〜λｎ  を含む連続スペクトルを有するパルス状の広帯域パルス光であり、例えばビットレート周期で周期的に送信される。
【００１５】
局側装置（ＯＳＵ）１０と複数のユーザ装置（ＯＮＵ）３０−１〜３０−ｎが、波長ルータ２０、下りの光ファイバ伝送路２１，２２、上りの光ファイバ伝送路２３，２４を介して接続される構成は従来と同様である。
【００１６】
本実施形態のＯＳＵ１０の送信部１１は、波長λ’１〜λ’ｎの変調光を時間的に切り換え、波長帯λの無変調光（広帯域パルス光）とともに、下り信号として光ファイバ伝送路２１に送信する（詳しくは図２を参照して説明する）。波長ルータ２０は、波長λ’１〜λ’ｎの変調光を分波するとともに、波長帯λの無変調光（広帯域パルス光）から波長λ１  〜λｎ  の無変調光（単一波長パルス光）を切り出し、それぞれ対応する光ファイバ伝送路２２を介してＯＮＵ３０−１〜３０−ｎに送信する（詳しくは図３を参照して説明する）。
【００１７】
各ＯＮＵ３０−１〜３０−ｎは、それぞれ波長λ’１〜λ’ｎの変調光を受信し、波長λ１  〜λｎ  の無変調光（単一波長パルス光）を変調して上り信号として送信する（詳しくは図４を参照して説明する）。波長λ１  〜λｎ  の変調光は、上り信号として光ファイバ伝送路２３、波長ルータ２０、上りの光ファイバ伝送路２４を介してＯＳＵ１０の受信部１５に伝送される。
【００１８】
図２は、第１の実施形態におけるＯＳＵ１０の構成例を示す。ＯＳＵ１０の送信部１１は、各ＯＮＵ宛ての送信信号により変調された波長λ’１〜λ’ｎの変調光を時間的に切り換えて送信する多波長光源１２と、各ＯＮＵにおける上り信号用の波長帯λの無変調光（広帯域パルス光）を周期的に送信する広帯域パルス光源１３と、各波長の変調光および無変調光（広帯域パルス光）を合波する合波器１４とにより構成される。なお、広帯域パルス光源１３には、スーパーコンティニュウム（ＳＣ）光源を用いることができる。ＯＳＵ１０の受信部１５は、波長λ１  〜λｎ  の変調光を時分割で受信する光受信器１６により構成される。
【００１９】
ここで、波長帯λの無変調光は、図２（ｂ）  に示すように波長λ１  〜λｎ  を含む連続スペクトルを有するパルス状の広帯域パルス光であり、例えばビットレート周期で送信される。すなわち、時間的に切り換えて送信される波長λ’１〜λ’ｎの変調光に対して、それぞれ波長帯λの無変調光（広帯域パルス光）が波長多重される。
【００２０】
なお、図１および図２では、各ＯＮＵ宛ての波長λ’１〜λ’ｎの変調光は、多波長光源１２から時間的に切り換えて送信されるように説明したが、それに限定されるものではない。例えば、広帯域パルス光源から出力される広帯域パルス光を各波長ごとに切り出し、それぞれ各ＯＮＵ宛ての送信信号により変調し、波長多重して送信するようにしてもよい。すなわち、下り信号として送信される各ＯＮＵ宛ての変調光は、時間軸上で同時に伝送されてもよい。また、上り信号用の無変調光（広帯域パルス光）も任意の周期で周期的に伝送されていればよい。
【００２１】
図３は、第１の実施形態における波長ルータ２０の機能（下り信号関係）を示す。図３（ａ）  は波長ルータ２０の構成であり、下り信号に関する入出力ポートを示す。図３（ｂ）  は下り信号のスペクトルである。波長ルータ２０には、下り信号として波長λ’１〜λ’ｎの変調光および波長帯λ（λ１  〜λｎ  ）の無変調光（広帯域パルス光）が入力される。
【００２２】
図３（ｃ）  は波長ルータ２０の透過特性とルーティングされるポート♯１〜♯ｎの関係を示す。波長ルータ２０は、波長帯λ’  に対して波長λ’１，λ’２，…，λ’ｎの変調光を透過し、波長帯λに対して波長λ１  ，λ２  ，…，λｎ  の無変調光を透過し、それぞれ所定のポート♯１〜♯ｎにルーティングする。図３（ｄ）  は波長ルータ２０のポート♯１の出力光スペクトルであり、波長λ’１の変調光と、広帯域パルス光から切り出された波長λ１  の無変調光（単一波長パルス光）が出力される。
【００２３】
なお、波長ルータ２０としてアレイ導波路回折格子（ＡＷＧ）を用いれば、入力された広帯域パルス光が各波長成分ごとにそれぞれ対応する出力ポートに切り出され、かつ波長精度も高いので、ＯＳＵ１０の送信部１１における広帯域パルス光源１３には多波長光源のように発振波長を安定化させるための波長制御技術は不要である。
【００２４】
図４は、第１の実施形態におけるＯＮＵ３０−ｉ（ｉは１〜ｎ）の構成例を示す。なお、ＯＮＵ３０−１〜３０−ｎはすべて同一構成である。ＯＮＵ３０−ｉには、波長ルータ２０によってルーティングされた波長λ’ｉの変調光および波長λｉ  の無変調光（単一波長パルス光）が入力される。分波器３１は、入力光を波長帯ごとに分波する機能を有し、波長λ’ｉの変調光は光受信器３２に分波され、波長λｉ  の無変調光は光変調器３３に分波される。光受信器３２は波長λ’ｉの変調光を受信してＯＳＵからの送信信号を検出し、光変調器３３は波長λｉ  の無変調光をＯＳＵへの送信信号で変調し、上り信号として送信する。
【００２５】
ここで、光変調器３３には、図４（ｂ）  に示すように上り信号用として波長λｉ  の無変調光（単一波長パルス光）が周期的に入力されるので、所定のタイミングの無変調光を変調し、その他のタイミングのときは光変調器をオフ（駆動電圧オフ）に設定して無変調光を終端する。これにより、ＯＮＵ３０−ｉは任意のタイミングで波長λｉ  の変調光を上り信号として送信することができる。
【００２６】
なお、ＯＮＵ３０−ｉの送信タイミングは、各ＯＮＵ３０−１〜３０−ｎから送信された波長λ１  〜λｎ  の変調光（上り信号）が、ＯＳＵ１０に到達するときに時間軸上で重ならないように選択される。例えば、図５に示す例では、ＯＮＵ３０−１に波長λ１  の無変調光が周期的に入力され、ＯＮＵ３０−２に波長λ２  の無変調光が周期的に入力されており、それぞれ適当なタイミングａで無変調光を変調して折り返すことにより、ＯＳＵに受信される時点で時間軸上に重ならないように並べることができる。
【００２７】
ただし、各ＯＮＵからの波長λ１  〜λｎ  の変調光は、図１に示すように時間軸上に順番に並ぶ必要はなく、所定のガード時間をおいて互いに重ならなければ十分である。そのためには、例えば各ＯＮＵが送信要求パケットをＯＳＵに送信し、ＯＳＵが各ＯＮＵからの送信要求パケットを受信し、それぞれの受信タイミングから計算した各ＯＮＵの送信タイミング情報を各ＯＮＵに通知し、各ＯＮＵがその送信タイミング情報に基づいて変調タイミングを設定する方法をとればよい。
【００２８】
従来構成では、各ＯＮＵに入力される上り信号用の無変調光は１フレームに１つであり、その入力タイミングが自動的に送信タイミングになり、ＯＮＵ側で送信タイミングを選択することはできなかった。したがって、ＯＳＵ側でＯＮＵの送信タイミングを考慮して上り信号用の無変調光を送信する必要があった。それに対して、本発明の構成では、ＯＮＵ３０−ｉに波長λｉ  の無変調光が周期的に入力され、あたかもＯＮＵ３０−ｉが波長λｉ  のパルス光源をもっているのと同じ状態になる。これにより、ＯＮＵ側で送信タイミングを調整できるので、ＯＳＵの広帯域パルス光源は周期的に広帯域パルス光を送信するだけでよく、各ＯＮＵに合わせて送信タイミングを調整する必要はない。
【００２９】
（第２の実施形態）
図６は、本発明の第２の実施形態の構成例を示す。図において、光ファイバ伝送路２５は双方向に光信号を伝送する構成であり、光カプラ２６は上り信号と下り信号を分離する。その他の構成は第１の実施形態と同様である。
【００３０】
すなわち、本実施形態では、ＯＳＵ１０から波長ルータ２０に伝送される下り信号と、波長ルータ２０からＯＳＵ１０に伝送される上り信号とを共通の光ファイバ伝送路２５を介して双方向に伝送する。この場合には、光カプラ２６または光サーキュレータを介して、光ファイバ伝送路２５とＯＳＵ１０の送信部および受信部を接続する。
【００３１】
また、波長ルータ２０から各ＯＮＵ３０−１〜３０−ｎに伝送される下り信号と、各ＯＮＵ３０−１〜３０−ｎから波長ルータ２０に伝送される上り信号とをそれぞれ共通の光ファイバ伝送路２５を介して双方向に伝送する。この場合には、光カプラ２６または光サーキュレータを介して、光ファイバ伝送路２５とＯＮＵ３０−１〜３０−ｎの分波器および光変調器を接続する。
【００３２】
（第３の実施形態）
図７は、本発明の第３の実施形態の構成例を示す。本実施形態は、ＯＳＵ１０から波長ルータ２０に伝送される下り信号の変調光と無変調光（広帯域パルス光）とをそれぞれ個別の光ファイバ伝送路２１−１，２１−２を介して伝送する構成である。波長ルータ２０は、光ファイバ伝送路２１−１を介して伝送された波長λ’１〜λ’ｎの変調光と、光ファイバ伝送路２１−２を介して伝送された波長帯λの無変調光を入力し、各ＯＮＵ対応に分波する。例えば、波長λ’１の変調光と波長λ１  の無変調光を合流し、光ファイバ伝送路２２を介してＯＮＵ３０−１に送信する。
【００３３】
（第４の実施形態）
図８は、本発明の第４の実施形態の構成例を示す。本実施形態は、下り信号の変調光と無変調光（広帯域パルス光）とをそれぞれ個別の光ファイバ伝送路を介して伝送する場合に、無変調光（広帯域パルス光）を伝送する光ファイバ伝送路と波長ルータ２０からＯＳＵ１０に伝送される上り信号とを共通の光ファイバ伝送路２５を介して双方向に伝送する構成である。
【００３４】
（他の実施形態）
各ＯＮＵ３０−１〜３０−ｎに割り当てられる波長は、下り信号と上り信号でそれぞれ１つの波長帯に限定する必要はなく、それぞれ２以上の波長帯を割り当ててもよい。この場合には、波長ルータ２０として用いるアレイ導波路回折格子（ＡＷＧ）の周期性を利用し、各波長帯のそれぞれ周期的に対応する波長を各ＯＮＵに割り当てればよい。
【００３５】
また、以上説明した実施形態は、ＯＳＵ１０から各ＯＮＵ３０−１〜３０−ｎに伝送される下り信号の変調光の帯域と、上り信号用として伝送される無変調光の帯域が異なるものとして説明した。しかし、両帯域を同一とし、従来のように両信号を異なるタイムスロットで伝送する構成としてもよい。このような構成としても、ＯＳＵ１０から広帯域パルス光を周期的に送信し、波長ルータ２０で各ＯＮＵに対応する波長の単一波長パルス光を切り出し、各ＯＮＵ３０−１〜３０−ｎで周期的に入力される単一波長パルス光から任意の送信タイミングを選択できる本発明の特徴は活かされる。
【００３６】
【発明の効果】
以上説明したように、本発明の波長多重双方向光伝送方法および装置は、各ＯＮＵの上り信号用にＯＳＵから無変調光（広帯域パルス光）を周期的に送信する構成であるので、ＯＳＵで波長制御や送信タイミング制御を行う必要がなく、装置規模および消費電力の軽減を図ることができる。
【００３７】
また、各ＯＮＵにおいて送信タイミングの制御を行うことができる。すなわち、各ＯＮＵは周期的に入力される無変調光（単一波長パルス光）から所定のタイミングのものを変調し、他の無変調光（単一波長パルス光）を終端することにより、任意の送信タイミングを選択することができる。これにより、ＯＳＵから供給される無変調光を変調して折り返すＯＮＵにおいて、その送信タイミングを独自に制御し、ＯＳＵの受信部における各ＯＮＵからの上り信号の衝突を回避することができる。
【００３８】
また、収容するＯＮＵ数が変化した場合に、従来構成ではＯＳＵにおいて上り信号用の多波長光源の設定および波長ルータの設定を変更する必要があるが、本発明は上り信号用としてＯＳＵから広帯域パルス光を周期的に送信する構成であるので、上り信号用の光源の設定変更は不要であり、波長ルータの設定のみを変更するだけで対応することができる。
【図面の簡単な説明】
【図１】本発明の第１の実施形態の構成例を示す図。
【図２】第１の実施形態におけるＯＳＵ１０の構成例を示す図。
【図３】第１の実施形態における波長ルータ２０の機能（下り信号関係）を示す図。
【図４】第１の実施形態におけるＯＮＵ３０−ｉ（ｉは１〜ｎ）の構成例を示す図。
【図５】ＯＮＵ３０−ｉの送信タイミングを説明する図。
【図６】本発明の第２の実施形態の構成例を示す図。
【図７】本発明の第３の実施形態の構成例を示す図。
【図８】本発明の第４の実施形態の構成例を示す図。
【図９】従来の双方向光伝送システムの構成例を示す図。
【図１０】従来の双方向光伝送システムにおける各ＯＮＵの波長割り当て例を示す図。
【図１１】従来の双方向光伝送システムの問題点を説明する図。
【符号の説明】
１０  局側装置（ＯＳＵ）
１１  送信部
１２  多波長光源
１３  広帯域パルス光源
１４  合波器
１５  受信部
１６  光受信器
２０  波長ルータ
２１，２２，２３，２４，２５  光ファイバ伝送路
２６  光カプラ
３０  ユーザ装置（ＯＮＵ）
３１  分波器
３２  光受信器
３３  光変調器
５０  局側装置（ＯＳＵ）
５１  送信部
５２  受信部
６０  波長ルータ
６１，６２，６３，６４  光ファイバ伝送路
７０  ユーザ装置（ＯＮＵ）
７１  光カプラ
７２  光受信器
７３  光変調器
【図１】
0003589604.tif 000002
【図２】
0003589604.tif 000003
【図３】
0003589604.tif 000004
【図４】
0003589604.tif 000005
【図５】
0003589604.tif 000006
【図６】
0003589604.tif 000007
【図７】
0003589604.tif 000008
【図８】
0003589604.tif 000009
【図９】
0003589604.tif 000010
【図１０】
0003589604.tif 000011
【図１１】
0003589604.tif 000012